(57)【要約】【課題】常時油を入れている家庭用オイルポットは、油がこびりつきやすく、オイルポットの油汚れは落としにくい。【解決手段】オイルポットの内側および上部周縁外周部に、簡単に交換できて、ある程度の範囲内の大きさのオイルポットに柔軟に対応できるオープン型インナーケースを設定することで、油および油の飛沫による汚れを、手軽に防止できる。【選択図】図１
2004215814.tif 000002
【特許請求の範囲】
【請求項１】
家庭用オイルポット内側の全表面および外側の上部表面を継ぎ目なく覆い油および油に含まれる揚げかすなどを通さないことを特徴とするオープン型のオイルポット用インナーケース。
【請求項２】
特別な形状に成形された胴長の側面と、底面で構成され、かつ全面が可塑性が高い薄膜で成形され、種々の大きさおよびデザインのオイルポットに合わせて変形しやすくなっていることを特徴とする請求項１記載のオイルポット用インナーケース。
【請求項３】
アルミ薄膜を使用することを特徴とする請求項２記載のオイルポット用インナーケース。
【請求項４】
側面が波形に成形された請求項２記載のオイルポット用インナーケース。
【請求項５】
側面に折り返されたひだを持つ請求項２記載のオイルポット用インナーケース。
【請求項６】
外側への折り返し部分の周縁全体または周縁の一部または周縁付近に油を吸収しやすい不織布または紙または布を薄く付着させていることを特徴とする請求項２記載のオイルポット用インナーケース。
【発明の詳細な説明】
【０００１】
【発明の属する技術分野】
この発明は、家庭用オイルポットの内側表面および外側表面の油汚れを防止および軽減することを目的とするオイルポット用インナーケースに関する。
【０００２】
【従来の技術】
従来の、家庭において食用油をオイルポットで保存する方法は、オイルポットに油を直に入れて保存する方法だけである。
【０００３】
【発明が解決しようとする課題】
しかしながら、以上の従来技術によれば、オイルポット内側が油まみれになり、さらにオイルポットの外側においても油の飛沫による汚れが発生し、オイルポットの内側外側共に油汚れがこびりつきやすい。油まみれでしかも汚れがこびりついているオイルポットを、きれいに洗浄するのは困難なことである。不十分な洗浄は、保存する食用油の風味を損ない、劣化を促進する。
【０００４】
そこで、この発明は、オイルポットを油まみれにしてしまうことや油のこびりつきによる汚れなどを防止する簡便な手段を提供することを課題とする。
【０００５】
【課題を解決するための手段】
以上の課題を解決するために、請求項１〜３の発明は、家庭用オイルポットの内側全表面および外側表面を覆うように、オイルポットの内部において中心的に設定され、ケース上部がオイルポットの周縁で外側に折り返して使用されるべきことを特徴とする使い捨てのアルミホイル製オープン型オイルポット用インナーケースである。
【０００６】
また、請求項４の発明は、折り返し部分の周縁に油を吸収しやすい不織布または紙または布などを薄く付着させていることを特徴とする請求項２記載のオイルポット用インナーケースである。
【０００７】
【発明の実施の形態】
この発明の一実施形態を、図面を参照して以下に示す。
図１で示すように、このケース１はアルミホイル製であり、一面のアルミシートから成形され継ぎ目のない構造をしている。底部と伸縮性に富む細かい波形３の側面からなり、ケース上部周縁部内側２に幅  ３  ｃｍ  位の油を吸収しやすい不織布または紙または布を薄く付着させている。この不織布または紙または布およびこれを付着させる接着剤は高温に強いものを使用する。
【０００８】
図２で示すように、このケースを上から見た形状は細かい波形３をしている。
【０００９】
図４で示すように、このケース１をオイルポット５の内部に設定し、ケース１の細かい波形３をオイルポット５の大きさに合わせて、軽く内側から手で押してケース１をオイルポット５の内壁に軽くフィットさせる。
【００１０】
図５で示すように、ケース１上部を容器の内側周縁に合わせてしっかり密着させ油こし７をのせる。オイルポット５よりはみ出るケース１のゆとり部分８および不織布または紙または布の付着部分２は、水平または水平よりやや上向きに外側に軽く折り曲げる。使用後の油６を注入する場合は、この状態で使用する。油が多少はねても、ケース１のゆとり部分８および不織布または紙または布の付着部分２で油の飛沫を受けることができるので、油の飛沫によってできる汚れを防止できる。ただし、油の注入場面において、図７で示すようなオイルポットの外側表面にケースを密着させるという通常の使用方法でも、油の飛沫による汚れの防止効果は十分にあるが、図５で示す方法の方がより防止効果が高い。
【００１１】
図６は、油の注入に備えてオイルポットにケースを設定した場合の側面を示している。
【００１２】
図７で示すように、油の注入終了後は、水平状態のケースゆとり部分８および不織布または紙または布の付着部分２を下方に折り曲げてオイルポット５にフィットさせ、オイルポット５に蓋９をして収納する。オイルポットの油を使用するときは、蓋９を外し、この状態で使用する。注ぎ口から漏れ落ちる多少の油滴は、ケースの不織布または紙または布の付着部分２で吸収される。
【００１３】
「実施形態の効果」
この実施形態によれば、ケース１が破損されない限りオイルポット５の内側表面全体が直接油に触れることはないので、オイルポット内側の油汚れを防止できる。
【００１４】
オイルポット５の外側表面においても、汚れやすい上部周辺が全面的に覆われるので油汚れを防止できる。
【００１５】
ケース１で覆われないオイルポット外側の下部表面についても、ケース周縁に薄く付着している油を吸収しやすい不織布または紙または布２によって、流れ落ちる油滴がかなり吸収されることになるので、油による汚れに対する防止効果がより高くなる。
【００１６】
ケースの交換周期は、使用方法にもよるがケースを破損しない限りは、新旧の油交換に伴ってケースの交換を行うようにすることが効果的である。新しい油を、古い油かすがこびりついたようなオイルポットで保存するのと、まっさらなケースで保存するのとでは、油の劣化すなわち品質が違ってくるものと思われる。しかしながら、油の入れ替え時に常にオイルポットをまっさらな状態にしておくのは至難の業である。この至難の業がインナーケースの使用をもって初めて可能になる。
【００１７】
「他の実施形態」
図１の実施形態では側面は波形であるが、他の実施形態では、図３で示すように折り返されたひだを持つ形状の側面であってもよい。
【００１８】
また、図１の実施形態では底部は円形であるが、これは多くのオイルポットの底部が円形であるからである。だが、一般的なオイルポットの底部の形には円形の他にしずく形や楕円形、その他がある。したがって、他の実施形態ではケースの底部はしずく形や楕円形など円形以外の形状であってもよい。
【００１９】
また、他の実施形態では、ケース外周部の不織布または紙または布２の一部分をやや厚めに付着させて油の吸収量を増大させ、その部分の色を変えるなどして目印とし、オイルポットの注ぎ口の真下に設定するようにしてもよい。注ぎ口の真下は、オイルポット外周の他の部分より流れ落ちる油滴が多いからである。
【００２０】
また、図１の実施形態では、ケース外周部の不織布または紙または布の付着した部分２の幅を３  ｃｍ  位としたが、これは仮に設定したものである。他の実施形態では、３  ｃｍ  を大きく超えるか、または縮小してもよい。
【００２１】
また、図１の実施形態ではオイルポット内側の全表面および外側の周縁部を含む上部表面をケースで覆うとしているが、他の実施形態ではオイルポット内側の全表面および外側の周縁部を含む全側面または全表面をケースで覆ってもよい。
【００２２】
また、図１の実施形態では油滴を吸収させるための不織布または紙または布を最初からケースに付着させているが、他の実施形態ではテープ形式にしてテープの裏面に油と高温に強い粘着物質を付着させ、ケースをオイルポットに設定したあとで使用者本人がこのテープ形式の不織布または紙または布をケースに付着させてもよい。
【００２３】
【発明の効果】
以上説明したように、この発明によれば、オイルポットの内側全表面および外側の周縁部を含む上部表面を覆い、さらに不織布または紙または布の部分で流れ落ちる油滴を吸収するものとしてインナーケースを設定することになるので、オイルポットの油汚れを画期的に防止できることになる。
【００２４】
また、きつい油汚れの洗浄に伴う環境汚染や手肌の荒れも軽減される。
【００２５】
また、着脱が簡単であるため、手が油まみれになることもない。
【００２６】
また、保存している油が、オイルポット内側にこびりついている古い油かすによって劣化することを防ぐことができる。
【００２７】
また、構造が簡単で、素材もアルミホイルとわずかな不織布または紙または布および接着剤だけであるため、安く製造できる。
【００２８】
また、可塑性のある素材を波形側面や折り返したひだを持つ側面など特殊な形状に成形して使用しているので容器に対する柔軟性があり、使用対象となるオイルポットの範囲が広い。言い換えると、汎用性が高い。
【図面の簡単な説明】
【図１】この発明の一実施形態を示す斜視図である。
【図２】この発明の一実施形態を示す波形側面を持つケースの上面図である。
【図３】この発明の別の実施形態を示す折り返したひだを側面に持つケースの上面図である。
【図４】この発明の使用に伴う設定方法を示す側面図である。
【図５】この発明の一使用形態を示す斜視図である。
【図６】この発明の一使用形態を示す側面図である。
【図７】この発明の別の使用形態を示す側面図である。
【符号の説明】
１．オイルポット用インナーケース
２．油を吸収しやすい不織布または紙または布の付着部分
３．波形
４．折り返したひだ
５．オイルポット
６．油
７．油こし器
８．オイルポット用インナーケースのゆとり部分
９．オイルポットの蓋
【図１】
2004215814.tif 000003
【図２】
2004215814.tif 000004
【図３】
2004215814.tif 000005
【図４】
2004215814.tif 000006
【図５】
2004215814.tif 000007
【図６】
2004215814.tif 000008
【図７】
2004215814.tif 000009